【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
冷媒入口（ＥＮ１，ＥＮ１０１）が形成されている冷媒ヘッダ（５１，１５１）と、
前記冷媒ヘッダのヘッダ長手方向と交差する方向に延び、前記冷媒ヘッダから冷媒が流れ込む、複数の扁平多穴管（４０，１４０）と、
を備え、
前記冷媒ヘッダの内部空間（ＩＳ１０，ＩＳ１１０）は、前記ヘッダ長手方向に延びる仕切り板（６９，１６９）によって、前記冷媒入口の側の第１室（ＩＳ１１，ＩＳ１１１）と、前記第１室とは別の第２室（ＩＳ１２，ＩＳ１１２）とに仕切られ、
前記冷媒入口から前記第１室に入った冷媒の少なくとも一部は、前記第１室から前記第２室に流れ、再び前記第２室から前記第１室に戻る、
熱交換器（１０）。
【請求項２】
前記冷媒ヘッダの内部空間には、前記ヘッダ長手方向の前記冷媒入口の側と反対側の端部に、前記第１室から前記第２室へと冷媒を流す第１開口（ＰＡ１，ＰＡ１０１）が形成され、前記ヘッダ長手方向の前記冷媒入口の側の端部に、前記第２室から前記第１室へと冷媒を戻す第２開口（ＰＡ２，ＰＡ１０２）が形成されている、
請求項１に記載の熱交換器。
【請求項３】
前記冷媒入口は、流路面積が絞られたノズルであり、
前記第２開口は、前記冷媒入口の近傍に形成されており、
前記冷媒入口から前記冷媒ヘッダの内部空間に流入する冷媒の噴流により、前記冷媒入口の近傍が低圧力状態となって、前記第２開口を通って前記第２室から前記第１室へと戻る冷媒の流れが生じる、
請求項２に記載の熱交換器。
【請求項４】
前記複数の扁平多穴管（４０）の複数の穴の一部の穴は前記第１室（ＩＳ１１）に接続されており、前記複数の扁平多穴管（４０）の複数の穴の残りの穴は前記第２室（ＩＳ１２）に接続されており、
前記冷媒ヘッダの内部空間の冷媒は、前記第１室から前記扁平多穴管の前記一部の穴に流れ込み、前記第２室から前記扁平多穴管の前記残りの穴に流れ込む、
請求項１から３のいずれかに記載の熱交換器。
【請求項５】
前記仕切り板（１６９）は、前記冷媒ヘッダの内部空間（ＩＳ１０）を、前記扁平多穴管（１４０）の複数の穴が露出しない前記第１室（ＩＳ１１１）と、前記扁平多穴管の複数の穴が露出する前記第２室（ＩＳ１１２）とに仕切っており、
前記冷媒ヘッダの内部空間の冷媒は、前記第２室から前記扁平多穴管の複数の穴に流れ込む、
請求項１から３のいずれかに記載の熱交換器。
【請求項６】
前記第２室（ＩＳ１１２）から前記第１室（ＩＳ１１１）に戻る冷媒は、前記第２室の底面の近傍から前記第１室に戻る、
請求項５に記載の熱交換器。
【請求項７】
前記扁平多穴管の冷媒が流れる穴は、水平方向に延びている、請求項１から６のいずれかに記載の熱交換器。
【請求項８】
前記扁平多穴管の複数の穴は、前記冷媒ヘッダのヘッダ長手方向と交差する方向に沿って並んでいる、請求項１から７のいずれかに記載の熱交換器。
【請求項９】
前記扁平多穴管の複数の穴は、鉛直方向に沿って並んでいる、請求項１から８のいずれかに記載の熱交換器。
【請求項１０】
前記冷媒ヘッダ（５１）は、冷媒の入口配管（５７）が接続されるヘッダであり、
前記冷媒ヘッダ（５１）とは別の、折り返し冷媒ヘッダ（５２）、
をさらに備え、
前記冷媒ヘッダ（５１）の内部空間（ＩＳ１０）には、前記入口配管（５７）から冷媒が流れ込み、
前記折り返し冷媒ヘッダ（５２）の内部空間は、冷媒流入側の前記扁平多穴管（４０）が接続される冷媒流入側内部空間（ＩＳ３０）と、冷媒流出側の前記扁平多穴管（４０）が接続される冷媒流出側内部空間（ＩＳ４０）とに分かれており、
前記冷媒流出側内部空間（ＩＳ４０）は、ヘッダ長手方向に延びる仕切り板（６９ｂ）によって、前記冷媒流入側内部空間（ＩＳ３０）の側の第３室（ＩＳ４３）と、前記第３室とは別の第４室（ＩＳ４４）とに仕切られ、
前記冷媒流入側内部空間（ＩＳ３０）から前記第３室に入った冷媒の少なくとも一部は、前記第３室から前記第４室に流れ、再び前記第４室から前記第３室に戻る、
請求項１から９のいずれかに記載の熱交換器。
【手続補正２】
【補正対象書類名】明細書
【補正対象項目名】０００５
【補正方法】変更
【補正の内容】
【０００５】
本発明の第１観点に係る熱交換器は、冷媒ヘッダと、複数の扁平多穴管とを備えている。冷媒ヘッダには、冷媒入口が形成されている。扁平多穴管は、冷媒ヘッダのヘッダ長手方向と交差する方向に延びている。扁平多穴管には、ヘッダから冷媒が流れ込む。冷媒ヘッダの内部空間は、ヘッダ長手方向に延びる仕切り板によって、冷媒入口の側の第１室と、第１室とは別の第２室とに仕切られている。そして、冷媒入口から第１室に入った冷媒の少なくとも一部は、第１室から第２室に流れ、再び第２室から第１室に戻る。
【手続補正３】
【補正対象書類名】明細書
【補正対象項目名】０００６
【補正方法】変更
【補正の内容】
【０００６】
ここでは、冷媒入口から冷媒ヘッダの内部空間に入った冷媒が、複数の扁平多穴管の各穴に流れ、扁平多穴管の外部を流れる流体と熱交換を行う。ここで、冷媒が気相および液相が混じる二相状態であった場合、仮に仕切り板がなければ、その内部空間において、冷媒入口に近いところの冷媒が主として液相となり冷媒入口から遠いところの冷媒が主として気相となる状況が生じる。その状況になると、液相の冷媒が多く流れる扁平多穴管と、気相の冷媒が多く流れる扁平多穴管とに分かれてしまい、冷媒の偏流が生じる。
【手続補正４】
【補正対象書類名】明細書
【補正対象項目名】００１２
【補正方法】変更
【補正の内容】
【００１２】
本発明の第４観点に係る熱交換器は、第１〜第３観点のいずれかに係る熱交換器であって、仕切り板は、冷媒ヘッダの内部空間を第１室、第２室に仕切っている。そして、冷媒ヘッダの内部空間の冷媒は、第１室から扁平多穴管の複数の穴の一部の穴に流れ込み、第２室から扁平多穴管の複数の穴の残りの穴に流れ込む。
【手続補正５】
【補正対象書類名】明細書
【補正対象項目名】００１３
【補正方法】変更
【補正の内容】
【００１３】
ここでは、仕切り板が冷媒ヘッダの内部空間を第１室、第２室に仕切っている。そして、扁平多穴管の穴が、第１室にも第２室にも露出しており、冷媒入口の側の第１室からだけではなく、第２室からも扁平多穴管の穴に冷媒が流れ込む。このような構成を採っているため、多くの冷媒が第１室から第２室に流れ、その冷媒の一部が第２室から再び第１室に戻る。これにより、自然と冷媒ヘッダの内部空間における冷媒循環量が多くなり、冷媒の偏流も更に抑制される。
【手続補正６】
【補正対象書類名】明細書
【補正対象項目名】００１４
【補正方法】変更
【補正の内容】
【００１４】
また、第４観点に係る熱交換器では、冷媒ヘッダの内部空間の冷媒入口に近い側と冷媒入口から遠い側との冷媒の偏流、すなわち、冷媒ヘッダの長手方向の冷媒偏流が抑制されることに加えて、仕切り板が冷媒ヘッダの内部空間を第１室、第２室に仕切っているため、冷媒ヘッダの内部空間の第１室、第２室の冷媒の偏りも抑制することができる。
【手続補正７】
【補正対象書類名】明細書
【補正対象項目名】００２４
【補正方法】変更
【補正の内容】
【００２４】
本発明の第４観点に係る熱交換器によれば、冷媒ヘッダの長手方向の冷媒偏流が抑制されることに加えて、仕切り板が冷媒ヘッダの内部空間を第１室、第２室に、仕切っているため、冷媒ヘッダの内部空間の第１室、第２室の冷媒の偏りも抑制することができる。